(57)【要約】【課題】操作部材の操作性に優れ、かつ、ケースの小型化を図る上で有利な撮像装置を提供する。【解決手段】ケース１２の前面を前方に向け、右手の手のひらと、親指を除く右手の指でケース１２の右側部を掴んだ状態で、ケース１２の上面の後部の右側部で右手の人差し指で操作できる範囲の箇所に、撮影にまつわる互いに異なった機能を実行するための３つの操作部材である電源用操作部材３２と、静止画撮影用操作部材３４と、ズーム用操作部材３６が前後方向に直線状に並べられて配置されている。【選択図】図１
2007148088.tif 000002
【特許請求の範囲】
【請求項１】
外装を構成し左右方向の幅よりも大きな寸法の前後方向の長さおよび上下方向の高さを有するケースと、
前記ケースの内部に該ケースの前面に臨むように設けられた撮影光学系と、
前記ケースの内部に組み込まれ前記撮影光学系によって導かれた被写体像を撮像する撮像素子とを備える撮像装置であって、
前記ケースの前面を前方に向け、右手の手のひらと、親指を除く右手の指で前記ケースの右側部を掴んだ状態で、前記ケースの上面の後部の右側部で右手の人差し指で操作できる範囲の箇所に、撮影にまつわる互いに異なった機能を実行するための３つの操作部材が前後方向に直線状に並べられて配置されている、
ことを特徴とする撮像装置。
【請求項２】
前記３つの操作部材のうち最も後方に配置された操作部材は、その後端面が前記ケースの後面に露出するように設けられていることを特徴とする請求項１記載の撮像装置。
【請求項３】
前記３つの操作部材は、電源のオン、オフを行うための電源用操作部材と、前記撮像素子による静止画の撮影を行うための静止画撮影用操作部材と、前記撮影光学系のズーム率を変化させるためのズーム用操作部材であることを特徴とする請求項１記載の撮像装置。
【請求項４】
外装を構成し左右方向の幅よりも大きな寸法の前後方向の長さおよび上下方向の高さを有するケースと、
前記ケースの内部に該ケースの前面に臨むように設けられた撮影光学系と、
前記ケースの内部に組み込まれ前記撮影光学系によって導かれた被写体像を撮像する撮像素子と、
電源のオン、オフを行うための電源用操作部材と、
前記撮像素子による静止画の撮影を行うための静止画撮影用操作部材と、
前記撮影光学系のズーム率を変化させるためのズーム用操作部材とを備える撮像装置であって、
前記ケースの前面を前方に向け、右手の手のひらと、親指を除く右手の指で前記ケースの右側部を掴んだ状態で、前記ケースの上面の後部の右側部で右手の人差し指で操作できる範囲の箇所に、前記電源用操作部材と前記静止画撮影用操作部材と前記ズーム用操作部材が前後方向に直線状に並べられて配置されている、
ことを特徴とする撮像装置。
【請求項５】
前記ケースの右側面に前後方向に延在するグリップベルトが設けられ、
前記ケースを右手のひらと、親指を除く右手の指で前記ケースの右側部を掴む際に、親指を除く右手の指は、前記ケースの右側面と前記グリップベルトとの間に挿通されることを特徴とする請求項４記載の撮像装置。
【請求項６】
前記静止画および前記動画は記録媒体に記録され、前記ケースの右側部に前記記録媒体の収容部が設けられ、前記電源用操作部材と前記静止画撮影用操作部材と前記ズーム用操作部材は、前記収容部の後方かつ上方箇所に位置していることを特徴とする請求項４記載の撮像装置。
【請求項７】
前記記録媒体はディスク状記録媒体あるいはテープ状記録媒体であることを特徴とする請求項６記載の撮像装置。
【請求項８】
前記ケースの内部で前記電源用操作部材と前記静止画撮影用操作部材と前記ズーム用操作部材とが配置された箇所の左側方に、前記撮像素子で撮像された画像を視認するためのビューファインダーが前記ケースの後面に臨むように設けられていることを特徴とする請求項４記載の撮像装置。
【請求項９】
前記撮像素子で撮像された画像を表示するディスプレイパネルが前記ケースの左側部に設けられていることを特徴とする請求項４記載の撮像装置。
【請求項１０】
前記電源用操作部材と前記静止画撮影用操作部材と前記ズーム用操作部材のうち、前記電源用操作部材は最も後方の箇所に配置されていることを特徴とする請求項４記載の撮像装置。
【請求項１１】
前記電源用操作部材の後端面は前記ケースの後面に露出するように設けられていることを特徴とする請求項１０記載の撮像装置。
【請求項１２】
前記撮像素子による動画の撮影を行うための動画撮影用操作部材が設けられ、前記動画撮影用操作部材は、前記ケースの前面を前方に向け、右手の手のひらと、親指を除く右手の指で前記ケースの右側部を掴んだ状態で、右手の親指で操作できる範囲内で前記電源用操作部材の下方の前記ケースの箇所に設けられていることを特徴とする請求項１０記載の撮像装置。
【請求項１３】
前記電源用操作部材と前記静止画撮影用操作部材と前記ズーム用操作部材のうち、前記ズーム用操作部材は最も前方の箇所に配置されていることを特徴とする請求項４記載の撮像装置。
【請求項１４】
前記ズーム用操作部材は前後方向を通る仮想軸の周りに揺動可能に設けられていることを特徴とする請求項４記載の撮像装置。
【請求項１５】
前記撮像素子から出力された撮像信号に基づいて動画データおよび静止画データを生成する画像データ処理部と、
前記画像データ処理部によって前記動画データを生成させる動画撮影モードと前記画像データ処理部によって前記静止画データを生成させる静止画撮影モードとを切り換えるためのモード切り換え用操作部材とを備え、
前記電源用操作部材と前記モード切り換え用操作部材は、前後方向を通る仮想軸の周りに揺動可能に設けられた単一の揺動部材で構成され、
前記揺動部材を第１の揺動位置と第２の揺動位置との間で揺動操作することで電源のオン、オフがなされ、
前記揺動部材を前記第２の揺動位置と、前記第２の揺動位置を挟んで第１の揺動位置と反対に位置する第３の揺動位置との間で揺動操作することで前記モードの切り換えがなされることを特徴とする請求項４記載の撮像装置。
【発明の詳細な説明】
【技術分野】
【０００１】
本発明は撮像装置に関する。
【背景技術】
【０００２】
ビデオカメラなどの撮像装置の外装を構成するケースの表面には、撮影にまつわる種々の操作部材が設けられている。
使用頻度の高い操作部材としては、電源のオンオフを行う電源スイッチ、撮影光学系のズーム率を変更させるためのズームレバーなどがある。
一方、撮像装置は、ケースに組み込まれた撮影レンズ側を前方、その反対側を後方とし、後方から見た状態で左右をいう場合、ケースの右側面に右手のひらを当て付けるとともに、親指を除く指でケースの上面部分を掴むように構成されるのが一般的である。
そのため、使用頻度の高い操作部材を、右手でケースの右側面側を把持した状態で親指によって操作しやすいケースの箇所、例えば、ケースの後面で右側面寄りの箇所に配置することが提案されている（特許文献１参照）。
【特許文献１】特開平８−２２７４６号公報
【発明の開示】
【発明が解決しようとする課題】
【０００３】
しかしながら、親指は他の指、例えば人差し指などに比較して細かな操作をするには不向きであるため、複数の操作部材を使い分けて操作したり、あるいは、レバーのように揺動操作される操作部材を操作する上で不利があった。
また、ケースの後面には、操作部材の他にビューファインダーやバッテリー装着部などが配置される関係上、ケースの後面に複数の操作部材が配置されると、ケースの後面のスペースを左右幅方向に広く確保しなくてはならず、筐体の小型化を図る上で不利があった。
本発明はこのような事情に鑑みなされたものであり、その目的は、操作部材の操作性に優れ、かつ、ケースの小型化を図る上で有利な撮像装置を提供することにある。
【課題を解決するための手段】
【０００４】
上述の目的を達成するため、本発明は、外装を構成し左右方向の幅よりも大きな寸法の前後方向の長さおよび上下方向の高さを有するケースと、前記ケースの内部に該ケースの前面に臨むように設けられた撮影光学系と、前記ケースの内部に組み込まれ前記撮影光学系によって導かれた被写体像を撮像する撮像素子とを備える撮像装置であって、前記ケースの前面を前方に向け、右手の手のひらと、親指を除く右手の指で前記ケースの右側部を掴んだ状態で、前記ケースの上面の後部の右側部で右手の人差し指で操作できる範囲の箇所に、撮影にまつわる互いに異なった機能を実行するための３つの操作部材が前後方向に直線状に並べられて配置されていることを特徴とする。
また、本発明は、外装を構成し左右方向の幅よりも大きな寸法の前後方向の長さおよび上下方向の高さを有するケースと、前記ケースの内部に該ケースの前面に臨むように設けられた撮影光学系と、前記ケースの内部に組み込まれ前記撮影光学系によって導かれた被写体像を撮像する撮像素子と、電源のオン、オフを行うための電源用操作部材と、前記撮像素子による静止画の撮影を行うための静止画撮影用操作部材と、前記撮影光学系のズーム率を変化させるためのズーム用操作部材とを備える撮像装置であって、前記ケースの前面を前方に向け、右手の手のひらと、親指を除く右手の指で前記ケースの右側部を掴んだ状態で、前記ケースの上面の後部の右側部で右手の人差し指で操作できる範囲の箇所に、前記電源用操作部材と前記静止画撮影用操作部材と前記ズーム用操作部材が前後方向に直線状に並べられて配置されていることを特徴とする。
【発明の効果】
【０００５】
そのため、本発明によれば、ケースの前面を前方に向け、右手の手のひらと、親指を除く右手の指でケースの右側部を掴んだ状態で、ケースの上面の後部の右側部で右手の人差し指で操作できる範囲の箇所に、３つの操作部材が前後方向に直線状に並べられて配置されているので、ケースを掴んだ状態で、これら３つの操作部材の全てを右手の人差し指で円滑にかつ容易に操作することができ、操作性の向上を図る上で有利となる。
また、ケースの後面にそれら操作部材を設ける場合に比較してケースの後面のスペースを縮小することができるので、ケースの小型化を図る上で有利となる。
また、ケースが左右方向の幅よりも大きな寸法の前後方向の長さを有していることから、３つの操作部材を前後方向に直線状に並べられて配置することによって、ケースの上面のスペースを有効利用できるので、ケースの小型化を図る上で有利となる。
【発明を実施するための最良の形態】
【０００６】
（第１の実施の形態）
次に本発明の実施の形態について図面を参照して説明する。
図１乃至図４は第１の実施の形態の撮像装置１０の構成を示す斜視図、図５は撮像装置１０の左側面図、図６は撮像装置１０の右側面図、図７は撮像装置１０の正面図、図８は撮像装置１０の後面図、図９は撮像装置１０の上面図、図１０は撮像装置１０の下面図、図１１は撮像装置１０の制御系の構成を示すブロック図である。
【０００７】
図１乃至図４に示すように、本実施の形態の撮像装置１０はビデオカメラである。
撮像装置１０は、外装を構成し左右方向の幅よりも大きな寸法の前後方向の長さおよび上下方向の高さを有するケース１２を有している。なお、本明細書において左右は、撮像装置１０を後方から見た状態でいうものとし、また、光学系の光軸方向で被写体側を前方といい、撮像素子側を後方という。
ケース１２の上部の前部には、撮影光学系１４が組み込まれた鏡筒１６が前面から前方に臨んで設けられている。撮影光学系１４はズームレンズを有し、ズーム率が連続的に可変できるように構成されている。
ケース１２の内部には、撮影光学系１４によって導かれた被写体像を撮像する撮像素子１８（図１１参照）などが収容されている。
図２に示すように、ケース１２の上部の後部には撮像素子１８によって撮像された被写体像を視認するためのビューファインダー（電子式ファインダー）２０が後面から後方に臨んで設けられている。ビューファインダー２０は、ケース１２内部に設けられた例えば液晶表示装置からなるディスプレイパネル２２（図１１参照）を有し、そのディスプレイパネル２２に表示される画像を視認するように構成されている。
図１、図４、図５に示すように、ケース１２の左側部には、撮像素子１８によって撮像された被写体像などを表示するための例えば液晶表示装置からなるディスプレイパネル２４が開閉可能に設けられ、このディスプレイパネル２４は閉じられた際に収容凹部１２０２に収容される。なお、収容凹部１２０２の底壁にはスピーカ５２（図１１参照）が設けられている。
図２、図３、図６に示すように、ケース１２の右側部には、画像データや音声データを記録するディスク状記録媒体２（図１１参照）が装脱可能に収容される収容部２６が設けられている。
図３に示すように、収容部２６は、ディスク状記録媒体２を収容する収容空間２６０２と、この収容空間２６０２を閉塞する開閉蓋２６０４とを有し、開閉蓋２６０４によってケース１２の右側面が形成されている。
収容空間２６０２の底壁には、不図示のスピンドルモータで回転されるターンテーブル２６０６が配設され、ディスク状記録媒体２の中心孔がターンテーブル２６０６に係合保持されることでディスク状記録媒体２がターンテーブル２６０６と一体的に回転駆動されるように構成されている。
また、図２、図３に示すように、ケース１２の右側面には、前後方向に延在するグリップベルト２８が設けられている。
グリップベルト２８は、両端がケース１２の前部と後部に連結されたベルト本体２８０２と、ベルト本体２８０２の中間箇所を覆う甲当てパッド２８０４とを有している。
また、図２、図９に示すように、ケース１２の上面後部には、ビデオライトやフラッシュライトなどのアクセサリーを着脱可能に装着するホットシュー３０が設けられている。
また、図１、図７に示すように、ケース１２の前面下部には、音声を収音するためのマイクロフォン４６（図１１参照）が設けられている。
【０００８】
図１乃至図６、図８、図９に示すように、撮像装置１０には、撮影にまつわる種々の機能を実行するための操作部材として、電源用操作部材３２、静止画撮影用操作部材３４、ズーム用操作部材３６、モード切り換え用操作部材３８、動画撮影用操作部材４０などが設けられている。
電源用操作部材３２、静止画撮影用操作部材３４、ズーム用操作部材３６、モード切り換え用操作部材３８は、ケース１２の上面に設けられている。
動画撮影用操作部材４０は、ケース１２の後面の上下方向の中間で右側面寄りの箇所に設けられている。
電源用操作部材３２は、撮像装置１０の電源のオン、オフを行うためのものである。
静止画撮影用操作部材３４は、撮像素子１８による静止画の撮影を行うためのものである。
ズーム用操作部材３６は、撮影光学系１４のズーム率を変化させるためのものである。
モード切り換え用操作部材３８は、静止画撮影モードと動画撮影モードとを切り換えるためのものである。
動画撮影用操作部材４０は、動画撮影のスタートとストップを行うためのものである。
【０００９】
図１１に示すように、撮像装置１０には、映像信号用増幅回路４２、画像データ処理部４４、マイクロフォン４６、マイクロフォン用増幅回路４８、音声データ処理回路５０、スピーカ５２、出力用増幅回路５４、記録再生回路５６、コントロール回路５８、記録再生機構６０、ドライブ回路６２、インターフェース回路６４、メモリカード用スロット６６、ズーム駆動部６８などが設けられている。
また、撮像装置１０には、電源スイッチ７０、静止画撮影用スイッチ７２、ズーム用スイッチ７４、モード切り換え用スイッチ７６、動画撮影用スイッチ７８が設けられている。
撮像素子１８で生成された撮像信号は映像信号用増幅回路４２で増幅され、画像データ処理部４４に供給される。
画像データ処理部４４は、撮像信号に所定の信号処理を行うことで、動画データおよび静止画データを生成し、記録再生回路５６に供給される。
マイクロフォン４６で収音された音声信号はマイクロフォン用増幅回路４８で増幅され、音声データ処理回路５０によって所定の信号処理がなされ音声データとして記録再生回路５６に供給される。
【００１０】
記録再生回路５６は、画像データ処理部４４から供給された動画データおよび静止画データや音声データ処理回路５０から供給された音声データをコントロール回路５８の制御にしたがって記録再生機構６０に供給し、記録再生機構６０は動画データおよび静止画データや音声データを記録媒体としてのディスク状記録媒体２に記録する。本実施の形態では、ディスク状記録媒体２としてＤＶＤ−Ｒなどの光ディスクを用いるが、ディスク状記録媒体としては、ＤＶＤ−Ｒ以外の光ディスク、あるいは、光磁気ディスクであってもよいことは無論である。
また、記録再生回路５６は、画像データ処理部４４から供給された動画データおよび静止画データや音声データ処理回路５０から供給された音声データをインターフェース回路６４を介してメモリカード用スロット６６に装着された記録媒体としてのメモリカード４に記録する。
また、記録再生回路５６は、画像データ処理部４４から供給された動画データおよび静止画データを、ドライブ回路６２を介してディスプレイパネル２２、２４に供給して画像の表示を行わせる。
また、記録再生回路５６は、インターフェース回路６４を介してメモリカード４から供給される動画データおよび静止画データを、ドライブ回路６２を介してディスプレイパネル２２、２４に供給して画像の表示を行わせるとともに、インターフェース回路６４を介してメモリカード４から供給される音声データを出力用増幅回路５４を介してスピーカ５２に供給して音声の出力を行わせる。
また、記録再生回路５６は、記録再生機構６０によりディスク状記録媒体２から再生された動画データおよび静止画データを、ドライブ回路６２を介してディスプレイパネル２２、２４に供給して画像の表示を行わせるとともに、記録再生機構６０によりディスク状記録媒体２から再生された音声データを出力用増幅回路５４を介してスピーカ５２に供給して音声の出力を行わせる。
【００１１】
電源スイッチ７０は電源用操作部材３２の操作によって動作されるものであり、コントロール回路５８は、電源スイッチ７０の動作に基づいて撮像装置１０の電源のオン、オフを行う。
静止画撮影用スイッチ７２は静止画撮影用部材３４の操作によって動作されるものであり、コントロール回路５８は、静止画撮影用スイッチ７２の動作に基づいて画像データ処理部４４および記録再生回路５６に指令を与えることにより、画像データ処理部４４から画像データ処理部４４に供給される静止画データを記録再生回路５６から記録再生機構６０に供給することで静止画データをディスク状記録媒体２に記録させる。言い換えると、静止画撮影用部材３４は、いわゆるシャッタボタンとして機能している。
ズーム用スイッチ７４はズーム用操作部材３６の操作によって動作されるものであり、コントロール回路５８は、ズーム用スイッチ７４の動作に基づいてズーム駆動部６８に指令を与えることにより、撮影光学系１４のズームレンズを移動させることにより、撮影光学系１４のズーム率を変化させる。
モード切り換え用スイッチ７６はモード切り換え用操作部材３８の操作によって動作されるものであり、コントロール回路５８はモード切り換え用スイッチ７６の動作に基づいて画像データ処理部４４に指令を与えることにより、画像データ処理部４４によって動画データを生成させる動画撮影モードと、画像データ処理部４４によって静止画データを生成させる静止画撮影モードとを切り換える。
なお、動画撮影モードでは、画像データ処理部４４で生成された動画データが記録再生回路５６を介してディスク状記録媒体２またはメモリカード４に記録され、静止画撮影モードでは、画像データ処理部４４で生成された静止画データが記録再生回路５６を介してディスク状記録媒体２またはメモリカード４に記録される。
動画撮影用スイッチ７８は動画撮影用操作部材４０の操作によって動作されるものであり、コントロール回路５８は、動画撮影用スイッチ７８の動作に基づいて動画データの記録の開始、記録の停止を行わせる。すなわち、コントロール回路５８は、動画撮影用スイッチ７８の動作に基づいて画像データ処理部４４および記録再生回路５６に指令を与えることにより、画像データ処理部４４から画像データ処理部４４に供給される動画データを記録再生回路５６から記録再生機構６０に供給することで動画データをディスク状記録媒体２に記録させる動作を開始させ、あるいは、その動作を停止させる。言い換えると、動画撮影用操作部材４０は、いわゆる撮影スタート／ストップの操作部材として機能している。
【００１２】
本実施の形態では、図２に示すように、ケース１２の前面を前方に向け、右手の手のひらと、親指を除く右手の指でケース１２の右側部を掴んだ状態で、ケース１２の上面の後部の右側部で右手の人差し指で操作できる範囲の箇所に、撮影にまつわる互いに異なった機能を実行するための３つの操作部材である電源用操作部材３２と、静止画撮影用操作部材３４と、ズーム用操作部材３６が前後方向に直線状に並べられて配置されている。
本実施の形態では、図２に示すように、ケース１２の右側面に前後方向に延在するグリップベルト２８が設けられており、ケース１２を右手のひらと、親指を除く右手の指でケース１２の右側部を掴む際に、親指を除く右手の指は、ケース１２の右側面とグリップベルト２８との間に挿通される。
また、本実施の形態では、図２、図６、図９に示すように、電源用操作部材３２と静止画撮影用操作部材３４とズーム用操作部材３６は、収容部２６の後方かつ上方箇所に位置している。
また、本実施の形態では、図２、図４、図８に示すように、電源用操作部材３２と静止画撮影用操作部材３４とズーム用操作部材３６とが配置された箇所の左側方にビューファインダー２０がケース１２の後面に臨むように位置している。
また、本実施の形態では、図９に示すように、電源用操作部材３２と静止画撮影用操作部材３４とズーム用操作部材３６のうち、電源用操作部材３２は最も後方の箇所に配置され、ズーム用操作部材３６は最も前方の箇所に配置されている。
【００１３】
図２に示すように、静止画撮影用操作部材３４は押圧用のボタンで構成され、静止画撮影用操作部材３４を押圧操作することで、静止画データがディスク状記録媒体２またはメモリカード４に記録される。
ズーム用操作部材３６は揺動レバーで構成され、前後方向を通る仮想軸の周りに揺動可能に設けられ、常時中立位置に付勢され、ケース１２の幅方向の中心方向に揺動させることでズーム率が減少されるように（広角側にされるように）、外側方に揺動させることでズーム率が増加されるように（望遠側にされるように）構成されている。
本実施の形態では、ズーム用操作部材３６の前後に左右方向に延在する仕切り壁１２１０がそれぞれ設けられ、ズーム用操作部材３６をより確実に操作できるようにしている。
【００１４】
電源用操作部材３２とモード切り換え用操作部材３８は、前後方向を通る仮想軸の周りに揺動可能に設けられた円盤状の単一の揺動部材８０で構成されている。
揺動部材８０の後端面は、前後方向においてケース１２の後端面とほぼ同じ位置に位置しケース１２の後方に露出している。
揺動部材８０を第１の揺動位置と第２の揺動位置との間で揺動操作することで電源のオン、オフがなされ、詳細には第１の揺動位置で電源がオフされ、第２の揺動位置で電源がオンされる。
また、揺動部材８０を第２の揺動位置と、第２の揺動位置を挟んで第１の揺動位置と反対に位置する第３の揺動位置との間で揺動操作する毎に静止画撮影モードと動画撮影モードとに交互に切り換えられ、揺動部材８０は第２の揺動位置に位置するように常時付勢されている。
本実施の形態では、図４、図９に示すように、揺動部材８０の外周部に凹部８００２が設けられ、この凹部８００２の底面にロックボタン８００４が押圧操作可能に設けられている。そして、揺動部材８０が第１の揺動位置に位置した状態でロックボタン８００４を押すことで第１の揺動位置から第２の揺動位置に揺動できるように構成されている。
【００１５】
本実施の形態では、図２に示すように、動画撮影用操作部材４０は、ケース１２の前面を前方に向け、右手の手のひらと、親指を除く右手の指でケースの右側部を掴んだ状態で、右手の親指で操作できる範囲内で電源用操作部材３２の下方のケース１２の箇所に設けられている。
動画撮影用操作部材４０は、押圧用のボタンで構成され、動画撮影用操作部材４０を押圧操作する毎に、動画データのディスク状記録媒体２またはメモリカード４への記録のスタートとストップがなされる。
【００１６】
本実施の形態によれば、ケース１２の前面を前方に向け、右手の手のひらと、親指を除く右手の指でケース１２の右側部を掴んだ状態で、ケース１２の上面の後部の右側部で右手の人差し指で操作できる範囲の箇所に、電源用操作部材３２と、静止画撮影用操作部材３４と、ズーム用操作部材３６が前後方向に直線状に並べられて配置されているので、ケース１２を掴んだ状態で、これら３つの操作部材の全てを右手の人差し指で円滑にかつ容易に操作することができ、操作性の向上を図る上で有利となる。
例えば、静止画を撮影する場合には、右手でケース１２を掴んだ状態で、右手の人差し指で電源用操作部材３２（揺動部材８０）を操作して電源をオンとしたのち、人差し指を前方に僅かに移動させるだけで静止画撮影用操作部材３４あるいはズーム用操作部材３６を操作することができ、撮影チャンスを逃すことなく撮影を行う上で有利となる。
また、電源用操作部材３２は円筒状の操作部を有し、静止画撮影用操作部材３４は細幅な押しボタン状の操作部を有し、ズーム用操作部材３６は円弧面状の操作部を有しており、したがって、互いに異なった形状の電源用操作部材３２、静止画撮影用操作部材３４、ズーム用操作部材３６の３つの操作部材が前後方向に直線状に並べられて配置されていることから、これらの操作部材を人差し指の触覚だけで識別して操作することは容易であり、ビューファインダー２０の使用時にいちいち各操作部材を視認して確認する必要がなく有利である。
また、ケース１２の後面にそれら操作部材を設ける場合に比較してケース１２の後面のスペースを縮小することができるので、ケース１２の小型化を図る上で有利となる。
また、ケース１２が左右方向の幅よりも大きな寸法の前後方向の長さを有していることから、電源用操作部材３２、静止画撮影用操作部材３４、ズーム用操作部材３６の３つの操作部材を前後方向に直線状に並べられて配置することによって、ケース１２の上面のスペースを有効利用できるので、ケース１２の小型化を図る上で有利となる。
【００１７】
また、本実施の形態では、電源用操作部材３２とモード切り換え用操作部材３８とが単一の揺動部材８０で構成されているので、電源オンから撮影開始に要する操作を手早く行うことができる。
すなわち、撮像装置１０の電源がオフされた状態から静止画または動画を撮影しようとする場合には、まず、撮像装置１０の右側部を右手で把持し、その状態で人差し指で揺動部材８０を第１の揺動位置から第２の揺動位置に揺動させて電源をオンしたのち、人差し指を揺動部材８０から離すことなく、人差し指で揺動部材８０を第２の揺動位置から第３の揺動位置に揺動させる毎に静止画撮影モード、あるいは、動画撮影モードに交互に切り換えることができる。したがって、最小限の操作で撮影準備を行うことが可能となり、撮影チャンスを逃すことなく撮影を行う上で有利となる。
また、本実施の形態では、動画撮影用操作部材４０は、ケース１２の前面を前方に向け、右手の手のひらと、親指を除く右手の指でケースの右側部を掴んだ状態で、右手の親指で操作できる範囲内で電源用操作部材３２の下方のケース１２の箇所に設けられているので、ケース１２を把持した右手の人差し指で、電源用操作部材３２、静止画撮影用操作部材３４、ズーム用操作部材３６の何れかを操作すると同時に、ケース１２を把持した右手の親指で動画撮影用操作部材４０を円滑にかつ容易に操作することができ、動画撮影時の操作性を向上させる上で有利となる。
【００１８】
（第２の実施の形態）
次に、第２の実施の形態について説明する。
第２の実施の形態が第１の実施の形態と異なるのは、撮像装置１０の外観形状や収容部２６の開閉蓋２６０４の開閉方向やマイクロフォン５２の配置箇所などであり、その他の点は第１の実施の形態と同様である。
図１２乃至図１５は第２の実施の形態の撮像装置１０の構成を示す斜視図であり、以下の実施の形態では、第１の実施の形態と同様の部分および部材には同一の符号を付して説明する。
第１の実施の形態では、開閉蓋２６０４のヒンジが下部に設けられ、開閉蓋２６０４が下部を中心とし開閉したのに対し、第２の実施の形態では、開閉蓋２６０４のヒンジが前部に設けられ、開閉蓋２６０４が前部を中心として開閉する。
また、第１の実施の形態では、マイクロフォン５２がケース１２の前面下部に設けられていたのに対し、第２の実施の形態では、マイクロフォン５２がケース１２の上面の前部に設けられている。
なお、電源用操作部材３２とモード切り換え用操作部材３８が、前後方向を通る仮想軸の周りに揺動可能に設けられた円盤状の単一の揺動部材８０で構成され、ケース１２の前面を前方に向け、右手の手のひらと、親指を除く右手の指でケース１２の右側部を掴んだ状態で、ケース１２の上面の後部の右側部で右手の人差し指で操作できる範囲の箇所に、揺動部材８０と、静止画撮影用操作部材３４と、ズーム用操作部材３６が前後方向に直線状に並べられて配置されている点、および、動画撮影用操作部材４０が、ケース１２の前面を前方に向け、右手の手のひらと、親指を除く右手の指でケースの右側部を掴んだ状態で、右手の親指で操作できる範囲内で電源用操作部材３２の下方のケース１２の箇所に設けられている点は第１の実施の形態と同様である。
第２の実施の形態では、図１２に示すように、ケース１２の上面の後部の右側部に、前後方向を通る仮想軸を中心とする円筒壁１２２０が設けられ、静止画撮影用操作部材３４とズーム用操作部材３６がこの円筒壁１２２０に設けられている。
このような第２の実施の形態によっても第１の実施の形態と同様な効果が奏される。
【００１９】
（第３の実施の形態）
次に、第３の実施の形態について説明する。
第３の実施の形態が第１の実施の形態と異なるのは、記録媒体としてテープ状記録媒体である磁気テープを用いた点であり、その他の点は第１の実施の形態と同様である。
図１６乃至図１８は第３の実施の形態の撮像装置１０の構成を示す斜視図、図１９は撮像装置１０の要部拡大斜視図、図２０は図１９のＡ矢視図である。
第３の実施の形態では、収容部２６に、磁気テープを走行させるための２つのリールが設けられ、開閉蓋２６０４の内面に磁気テープカセット３を装着するための磁気テープ収容部９０が設けられている。
磁気テープカセットは、開閉蓋を開いた状態で磁気テープ収容部に挿入され、開閉蓋を閉じると、磁気テープカセットのリール部が前記２つのリールに装着され、動画撮影用操作部材４０の操作により、磁気テープが走行され、磁気テープに磁気ヘッドが接触して動画データの記録が行われる。
なお、電源用操作部材３２とモード切り換え用操作部材３８が、前後方向を通る仮想軸の周りに揺動可能に設けられた円盤状の単一の揺動部材８０で構成され、ケース１２の前面を前方に向け、右手の手のひらと、親指を除く右手の指でケース１２の右側部を掴んだ状態で、ケース１２の上面の後部の右側部で右手の人差し指で操作できる範囲の箇所に、揺動部材８０と、静止画撮影用操作部材３４と、ズーム用操作部材３６が前後方向に直線状に並べられて配置されている点、および、動画撮影用操作部材４０が、ケース１２の前面を前方に向け、右手の手のひらと、親指を除く右手の指でケースの右側部を掴んだ状態で、右手の親指で操作できる範囲内で電源用操作部材３２の下方のケース１２の箇所に設けられている点は第１の実施の形態と同様である。
第３の実施の形態でも第２の実施の形態と同様に、ケース１２の上面の後部の右側部に、前後方向を通る仮想軸を中心とする円筒壁１２２０が設けられ、静止画撮影用操作部材３４とズーム用操作部材３６がこの円筒壁１２２０に設けられている。
このような第３の実施の形態によっても第１の実施の形態と同様な効果が奏される。
【００２０】
なお、実施の形態では、ケース１２の前面を前方に向け、右手の手のひらと、親指を除く右手の指でケース１２の右側部を掴んだ状態で、ケース１２の上面の後部の右側部で右手の人差し指で操作できる範囲の箇所に、揺動部材８０（電源用操作部材３２とモード切り換え用操作部材３８を兼ね備えた操作部材）と、静止画撮影用操作部材３４と、ズーム用操作部材３６が前後方向に直線状に並べられて配置されている場合について説明したが、撮影にまつわる機能を実行する操作部材はそれら電源用操作部材３２、モード切り換え用操作部材３８、静止画撮影用操作部材３４、ズーム用操作部材３６に限定されず、撮像装置１０の仕様に応じ適宜使用頻度の高い操作部材を配置すればよい。
また、実施の形態では、モード切り換え用操作部材３８が静止画撮影モードと動画撮影モードとを切り換えるためのものである場合について説明したが、モード切り換え用操作部材３８で切り換えるモードは、静止画撮影モードと動画撮影モードとの２種類に限定されるものではなく、モードの種類は任意である。例えば、静止画撮影モードと動画撮影モードとに加えて、ディスプレイパネル２４に動画データや静止画データを再生させる再生モードとの３つのモードを切り換えられるようにしてもよい。
また、実施の形態では、記録媒体として、ディスク状記録媒体としての光ディスクやテープ状記録媒体としての磁気テープ、あるいは、メモリカードを用いる場合について説明したが、記録媒体はこれらに限定されるものではなく、例えば、装脱可能なハードディスクドライブ装置、あるいは、ケース１２に内蔵されたハードディスクドライブ装置や半導体メモリであってもよい。
また、実施の形態では、撮像装置１０が動画データや静止画データの記録および再生の双方を行うものである場合について説明したが、動画データや静止画データの記録および再生の一方のみを行うものであってもよいことは無論である。
【図面の簡単な説明】
【００２１】
【図１】第１の実施の形態の撮像装置１０の構成を示す斜視図である。
【図２】第１の実施の形態の撮像装置１０の構成を示す斜視図である。
【図３】第１の実施の形態の撮像装置１０の構成を示す斜視図である。
【図４】第１の実施の形態の撮像装置１０の構成を示す斜視図である。
【図５】撮像装置１０の左側面図である。
【図６】撮像装置１０の右側面図である。
【図７】撮像装置１０の正面図である。
【図８】撮像装置１０の後面図である。
【図９】撮像装置１０の上面図である。
【図１０】撮像装置１０の下面図である。
【図１１】撮像装置１０の制御系の構成を示すブロック図である。
【図１２】第２の実施の形態の撮像装置１０の構成を示す斜視図である。
【図１３】第２の実施の形態の撮像装置１０の構成を示す斜視図である。
【図１４】第２の実施の形態の撮像装置１０の構成を示す斜視図である。
【図１５】第２の実施の形態の撮像装置１０の構成を示す斜視図である。
【図１６】第３の実施の形態の撮像装置１０の構成を示す斜視図である。
【図１７】第３の実施の形態の撮像装置１０の構成を示す斜視図である。
【図１８】第３の実施の形態の撮像装置１０の構成を示す斜視図である。
【図１９】撮像装置１０の要部拡大斜視図である。
【図２０】図１９のＡ矢視図である。
【符号の説明】
【００２２】
１０……撮像装置、１２……ケース、１４……撮影光学系、１８……撮像素子、３２……電源用操作部材、３４……静止画撮影用操作部材、３６……ズーム用操作部材、３８……モード切り換え用操作部材。
【図１】
2007148088.tif 000003
【図２】
2007148088.tif 000004
【図３】
2007148088.tif 000005
【図４】
2007148088.tif 000006
【図５】
2007148088.tif 000007
【図６】
2007148088.tif 000008
【図７】
2007148088.tif 000009
【図８】
2007148088.tif 000010
【図９】
2007148088.tif 000011
【図１０】
2007148088.tif 000012
【図１１】
2007148088.tif 000013
【図１２】
2007148088.tif 000014
【図１３】
2007148088.tif 000015
【図１４】
2007148088.tif 000016
【図１５】
2007148088.tif 000017
【図１６】
2007148088.tif 000018
【図１７】
2007148088.tif 000019
【図１８】
2007148088.tif 000020
【図１９】
2007148088.tif 000021
【図２０】
2007148088.tif 000022